(57)【特許請求の範囲】
【請求項１】
タッチパネル式の表示画面を有する表示器と、
前記表示画面にクロマトグラムを表示させる表示処理部と、
前記クロマトグラムにおけるピークの開始点、ピークの終了点、ピークの頂点、並びに、連続するピークの境界点及び境界線の少なくとも１つのデータをピーク情報として記憶する記憶部と、
前記表示画面に表示されているクロマトグラムに対するタッチ操作の位置に応じて、前記少なくとも１つのピーク情報のいずれか、又は、前記クロマトグラムに含まれるいずれかのピークを選択する選択処理部とを備え、
前記選択処理部は、前記ピーク情報から一定距離以上離れた領域であって、クロマトグラム上から一定距離未満の領域にタッチ操作の位置が存在する場合に、ピークを選択することを特徴とするクロマトグラフ用入力装置。
【請求項２】
前記選択処理部により前記クロマトグラムに含まれるいずれかのピークが選択された場合に、当該ピークの高さ又は面積を算出する演算処理部をさらに備えることを特徴とする請求項１に記載のクロマトグラフ用入力装置。
【請求項３】
前記選択処理部によりピークの開始点、ピークの終了点、又は、連続するピークの境界点のピーク情報が選択された後、前記表示画面に表示されているクロマトグラムに対するタッチ操作に基づいて、ベースラインのデータを作成するベースライン作成処理部をさらに備えることを特徴とする請求項１に記載のクロマトグラフ用入力装置。
【請求項４】
前記ベースライン作成処理部により作成されたベースラインのデータに基づいて、ピークの高さ又は面積を算出する演算処理部をさらに備えることを特徴とする請求項３に記載のクロマトグラフ用入力装置。
【請求項５】
前記選択処理部により連続するピークの境界点又は境界線のピーク情報が選択された後、前記表示画面に表示されているクロマトグラムに対するタッチ操作に基づいて、当該境界点又は境界線を基準に前記連続するピークを分割するピーク分割処理部をさらに備えることを特徴とする請求項１に記載のクロマトグラフ用入力装置。
【請求項６】
前記ピーク分割処理部により分割されたピークの高さ又は面積を算出する演算処理部をさらに備えることを特徴とする請求項５に記載のクロマトグラフ用入力装置。
【請求項７】
前記選択処理部により連続するピークの境界点又は境界線のピーク情報が選択された後、前記表示画面に表示されているクロマトグラムに対するタッチ操作に基づいて、当該境界点又は境界線を基準に分割されている前記連続するピークを結合するピーク結合処理部をさらに備えることを特徴とする請求項１に記載のクロマトグラフ用入力装置。
【請求項８】
前記ピーク結合処理部により結合されたピークの高さ又は面積を算出する演算処理部をさらに備えることを特徴とする請求項７に記載のクロマトグラフ用入力装置。
【請求項９】
前記選択処理部によりピークの開始点、ピークの終了点、ピークの頂点、あるいは、連続するピークの境界点又は境界線のピーク情報が選択された後、前記表示画面に表示されているクロマトグラムに対するタッチ操作に基づいて、前記記憶部に記憶されているピーク情報を書き換えるピーク情報書換処理部をさらに備えることを特徴とする請求項１に記載のクロマトグラフ用入力装置。
【請求項１０】
前記ピーク情報書換処理部により書き換えられたピーク情報に基づいて、ピークの高さ又は面積を算出する演算処理部をさらに備えることを特徴とする請求項９に記載のクロマトグラフ用入力装置。
【請求項１１】
前記選択処理部により前記クロマトグラムに含まれるいずれかのピークが選択された後、前記表示画面に表示されているクロマトグラムに対するタッチ操作に基づいて、前記記憶部に記憶されている当該ピークのピーク情報を削除するピーク情報削除処理部をさらに備えることを特徴とする請求項１に記載のクロマトグラフ用入力装置。
【請求項１２】
請求項１〜１１のいずれかに記載のクロマトグラフ用入力装置と、
前記クロマトグラフ用入力装置が設けられた本体とを備えることを特徴とするクロマトグラフ。
【発明の詳細な説明】
【技術分野】
【０００１】
本発明は、表示器に表示されるクロマトグラムに関する入力信号を送信するクロマトグラフ用入力装置及びクロマトグラフに関するものである。
【背景技術】
【０００２】
通常、クロマトグラフは、検出器と、各種データを処理するデータ処理部と、表示器とを備えている。クロマトグラフでは、検出器からの検出信号に基づいて、データ処理部でクロマトグラムが生成される。そして、表示器には、そのクロマトグラムが表示される。【０００３】
また、このようなクロマトグラフは、入力装置を備えており、作業者による入力装置の操作に応じて、入力信号がデータ処理部に送信される。そして、入力信号に基づいて、データ処理部で各種データが処理される（例えば、下記特許文献１参照）。【０００４】
特許文献１に記載のガスクロマトグラフは、入力装置としてマウス及びキーボードを備えている。そして、作業者は、表示器にクロマトグラムが表示された状態で、マウスの操作によって表示器上のマウスポインター（カーソル）を移動させ、キーボードの操作によって必要な入力を行う。
【先行技術文献】
【特許文献】
【０００５】
【特許文献１】特許第５２０６５０４号公報
【発明の概要】
【発明が解決しようとする課題】
【０００６】
上記のような従来のガスクロマトグラフでは、入力装置の種類によっては、入力操作に応じた適切な入力信号を送信できない可能性がある。【０００７】
具体的には、従来のガスクロマトグラフにおいて、入力装置としてタッチパネルを用いた場合には、作業者は、タッチパネル上の所定の部分を選択してタッチすることにより、入力操作を行う。このとき、作業者によるタッチパネル上のタッチ部分は、点ではなく、一定の面積からなる領域である。一方、タッチパネルでは、作業者のタッチ部分（タッチ領域）に含まれる所定の点を、作業者が選択した情報として認識する。そのため、タッチパネルにおいて、作業者が所望する点とは異なる点が認識される可能性があり、その場合には、所望する内容とは異なる内容の入力信号が送信されてしまう。【０００８】
本発明は、上記実情に鑑みてなされたものであり、タッチパネル上のタッチ操作に基づく適切な入力信号を送信できるクロマトグラフ用入力装置及びクロマトグラフを提供することを目的とする。
【課題を解決するための手段】
【０００９】
（１）本発明に係るクロマトグラフ用入力装置は、表示器と、表示処理部と、記憶部と、選択処理部とを備える。前記表示器は、タッチパネル式の表示画面を有する。前記表示処理部は、前記表示画面にクロマトグラムを表示させる。前記記憶部は、前記クロマトグラムにおけるピークの開始点、ピークの終了点、ピークの頂点、並びに、連続するピークの境界点及び境界線の少なくとも１つのデータをピーク情報として記憶する。前記選択処理部は、前記表示画面に表示されているクロマトグラムに対するタッチ操作の位置に応じて、前記少なくとも１つのピーク情報のいずれか、又は、前記クロマトグラムに含まれるいずれかのピークを選択する。【００１０】
このような構成によれば、クロマトグラムが表示されたタッチパネル式の表示画面に対して、作業者がタッチ操作を行うと、そのタッチ操作の位置に応じて、クロマトグラムにおけるピーク情報、又は、ピーク自体が自動的に選択される。選択されるピーク情報は、クロマトグラムにおけるピークの開始点、ピークの終了点、ピークの頂点、あるいは、連続するピークの境界点又は境界線である。【００１１】
例えば、作業者によって、タッチパネル式の表示画面に対してタッチ操作が行われ、クロマトグラムにおけるピークの開始点から若干ずれた点を中心とする領域がタッチされた場合であっても、選択処理部によって、ピークの開始点を選択できる。同様に、作業者によって、その他のピーク情報、又は、ピーク自体を選択するためのタッチ操作が行われた場合であって、タッチ部分の中心が本来の位置から若干ずれているような場合であっても、選択処理部によって、これらの情報を選択できる。【００１２】
すなわち、作業者によって、クロマトグラムが表示されたタッチパネル式の表示画面に対してタッチ操作が行われた場合に、作業者が所望する情報以外の情報が認識されることを防止できる。
その結果、タッチパネル上のタッチ操作に基づく適切な入力信号を送信できる。【００１３】
（２）また、前記クロマトグラフ用入力装置は、演算処理部をさらに備えてもよい。前記演算処理部は、前記選択処理部により前記クロマトグラムに含まれるいずれかのピークが選択された場合に、当該ピークの高さ又は面積を算出する。【００１４】
このような構成によれば、選択処理部によって、ピークが適切に選択され、演算処理部によって、そのピークの高さ又は面積が算出される。
そのため、作業者による操作がタッチパネルに対するタッチ操作であっても、ピークの高さ又は面積を適切に算出できる。【００１５】
（３）また、前記クロマトグラフ用入力装置は、ベースライン作成処理部をさらに備えてもよい。前記ベースライン作成処理部は、前記選択処理部によりピークの開始点、ピークの終了点、又は、連続するピークの境界点のピーク情報が選択された後、前記表示画面に表示されているクロマトグラムに対するタッチ操作に基づいて、ベースラインのデータを作成する。【００１６】
このような構成によれば、選択処理部によって、ピークの開始点、ピークの終了点、又は、連続するピークの境界点が適切に選択され、その後のタッチ操作に基づいて、ベースラインのデータが作成される。
そのため、作業者による操作がタッチパネルに対するタッチ操作であっても、ベースライン作成処理部によって、適切なベースラインを作成できる。【００１７】
（４）また、前記クロマトグラフ用入力装置は、演算処理部をさらに備えてもよい。前記演算処理部は、前記ベースライン作成処理部により作成されたベースラインのデータに基づいて、ピークの高さ又は面積を算出する。【００１８】
このような構成によれば、ベースライン作成処理部によって、適切なベースラインが作成され、演算処理部によって、そのベースラインのデータに基づいて、ピークの高さ又は面積が算出される。
そのため、作業者による操作がタッチパネルに対するタッチ操作であっても、ピークの高さ又は面積を適切に算出できる。【００１９】
（５）また、前記クロマトグラフ用入力装置は、ピーク分割処理部をさらに備えてもよい。前記ピーク分割処理部は、前記選択処理部により連続するピークの境界点又は境界線のピーク情報が選択された後、前記表示画面に表示されているクロマトグラムに対するタッチ操作に基づいて、当該境界点又は境界線を基準に前記連続するピークを分割する。【００２０】
このような構成によれば、選択処理部によって、連続するピークの境界点又は境界線が適切に選択され、その後のタッチ操作に基づいて、境界点又は境界線を基準に連続するピークが分割される。
そのため、作業者による操作がタッチパネルに対するタッチ操作であっても、ピーク分割処理部によって、ピークを適切に分割できる。【００２１】
（６）また、前記クロマトグラフ用入力装置は、演算処理部をさらに備えてもよい。前記演算処理部は、前記ピーク分割処理部により分割されたピークの高さ又は面積を算出する。【００２２】
このような構成によれば、ピーク分割処理部によって、ピークが適切に分割され、演算処理部によって、その分割されたピークの高さ又は面積が算出される。
そのため、作業者による操作がタッチパネルに対するタッチ操作であっても、ピークの高さ又は面積を適切に算出できる。【００２３】
（７）また、前記クロマトグラフ用入力装置は、ピーク結合処理部をさらに備えてもよい。前記ピーク結合処理部は、前記選択処理部により連続するピークの境界点又は境界線のピーク情報が選択された後、前記表示画面に表示されているクロマトグラムに対するタッチ操作に基づいて、当該境界点又は境界線を基準に分割されている前記連続するピークを結合する。【００２４】
このような構成によれば、選択処理部によって、連続するピークの境界点又は境界線が適切に選択され、その後のタッチ操作に基づいて、境界点又は境界線を基準に分割されている連続するピークが結合される。
そのため、作業者による操作がタッチパネルに対するタッチ操作であっても、ピーク結合処理部によって、ピークを適切に結合できる。【００２５】
（８）また、前記クロマトグラフ用入力装置は、演算処理部をさらに備えてもよい。前記演算処理部は、前記ピーク結合処理部により結合されたピークの高さ又は面積を算出する。
このような構成によれば、ピーク結合処理部によって、ピークが適切に結合され、演算処理部によって、その結合されたピークの高さ又は面積が算出される。
そのため、作業者による操作がタッチパネルに対するタッチ操作であっても、ピークの高さ又は面積を適切に算出できる。【００２６】
（９）また、前記クロマトグラフ用入力装置は、ピーク情報書換処理部をさらに備えてもよい。前記ピーク情報書換処理部は、前記選択処理部によりピークの開始点、ピークの終了点、ピークの頂点、あるいは、連続するピークの境界点又は境界線のピーク情報が選択された後、前記表示画面に表示されているクロマトグラムに対するタッチ操作に基づいて、前記記憶部に記憶されているピーク情報を書き換える。【００２７】
このような構成によれば、タッチパネルに対するタッチ操作により、記憶部に記憶されているピーク情報を所望の情報に容易に書き換えることができる。【００２８】
（１０）また、前記クロマトグラフ用入力装置は、演算処理部をさらに備えてもよい。前記演算処理部は、前記ピーク情報書換処理部により書き換えられたピーク情報に基づいて、ピークの高さ又は面積を算出する。【００２９】
このような構成によれば、ピーク情報書換処理部によって、ピーク情報が所望の情報に書き換えられ、演算処理部によって、その書き換えられた所望のピーク情報に基づくピークの高さ又は面積が算出される。
そのため、作業者による操作がタッチパネルに対するタッチ操作であっても、ピークの高さ又は面積を適切に算出できる。【００３０】
（１１）また、前記クロマトグラフ用入力装置は、ピーク情報削除処理部をさらに備えてもよい。前記ピーク情報削除処理部は、前記選択処理部により前記クロマトグラムに含まれるいずれかのピークが選択された後、前記表示画面に表示されているクロマトグラムに対するタッチ操作に基づいて、前記記憶部に記憶されている当該ピークのピーク情報を削除する。【００３１】
このような構成によれば、選択処理部によって、クロマトグラムに含まれるいずれかのピークが適切に選択され、その後のタッチ操作に基づいて、当該ピークのピーク情報が削除される。
そのため、作業者による操作がタッチパネルに対するタッチ操作であっても、ピーク情報削除処理部によって、ピーク情報を適切に削除できる。【００３２】
（１２）また、本発明に係るクロマトグラフは、クロマトグラフ用入力装置と、本体とを備える。前記本体には、前記クロマトグラフ用入力装置が設けられる。【００３３】
このような構成によれば、作業者は、本体に設けられたクロマトグラフ用入力装置のタッチパネル式の表示画面に対してタッチ操作を行う。そして、選択処理部は、クロマトグラムにおけるピーク情報、又は、ピーク自体を自動的に選択する。
そのため、クロマトグラムにおけるピーク情報、又は、ピーク自体の選択を、本体に対する操作のみで行うことができる。
【発明の効果】
【００３４】
本発明によれば、クロマトグラムが表示されたタッチパネル式の表示画面に対するタッチ操作の位置に応じて、選択処理部によって、クロマトグラムにおけるピーク情報、又は、ピーク自体が自動的に選択される。そのため、作業者が所望する情報以外の情報が認識されることを防止できる。その結果、タッチパネル上のタッチ操作に基づく適切な入力信号を送信できる。
【図面の簡単な説明】
【００３５】
【図１】本発明の一実施形態に係るガスクロマトグラフの構成例を示した概略図である。
【図２】図１のガスクロマトグラフの制御部、及び、その周辺の部材の具体的構成を示したブロック図である。
【図３】表示画面の表示態様の一例を示した概略図である。
【図４】クロマトグラム領域の表示態様の一例であって、クロマトグラム及びピーク情報を示した概略図である。
【図５】クロマトグラム領域の表示態様の一例であって、ピークが選択された結果、クロマトグラムにおけるピークの高さ及び面積が算出される状態を示した概略図である。
【図６Ａ】クロマトグラム領域の表示態様の一例であって、クロマトグラムにおけるピークの開始点及び終了点が選択された状態を示した概略図である。
【図６Ｂ】クロマトグラム領域の表示態様の一例であって、ベースラインが作成された状態を示した概略図である。
【図６Ｃ】クロマトグラム領域の表示態様の一例であって、ベースラインに基づいて、クロマトグラムにおけるピークの高さ及び面積が算出される状態を示した概略図である。
【図６Ｄ】クロマトグラム領域の表示態様の一例であって、ピークが分割された状態を示した概略図である。
【図６Ｅ】クロマトグラム領域の表示態様の一例であって、分割された状態のピークの高さ及び面積が算出される状態を示した概略図である。
【図７Ａ】クロマトグラム領域の表示態様の一例であって、クロマトグラムにおけるピーク情報が書き換えられる状態を示した概略図である。
【図７Ｂ】クロマトグラム領域の表示態様の一例であって、書き換えられたピーク情報に基づいて、クロマトグラムにおけるピークの高さ及び面積が算出される状態を示した概略図である。
【図８】クロマトグラム領域の表示態様の一例であって、クロマトグラムにおけるピーク情報が削除される状態を示した概略図である。
【発明を実施するための形態】
【００３６】
１．ガスクロマトグラフの全体構成
図１は、本発明の一実施形態に係るガスクロマトグラフの構成例を示した概略図である。このガスクロマトグラフは、キャリアガスとともに試料ガスをカラム１内に供給することにより分析を行うためのものであり、上記カラム１以外に、カラムオーブン２、試料導入部３、検出器４、及び、これらを収容する中空状の本体１０などを備えている。
カラム１は、例えば、キャピラリカラムからなる。カラム１は、ヒータ及びファンなど（いずれも図示せず）とともにカラムオーブン２内に収容されている。
カラムオーブン２は、カラム１を加熱するためのものであり、分析時にはヒータ及びファンを適宜駆動させる。
【００３７】
試料導入部３は、カラム１内にキャリアガス及び試料ガスを導入するためのものであり、その内部に試料気化室（図示せず）が形成されている。この試料気化室には、液体試料が注入され、試料気化室内で気化された試料が、キャリアガスとともにカラム１内に導入される。また、試料気化室には、ガス供給流路５及びスプリット流路６が連通している。
ガス供給流路５は、試料導入部３の試料気化室内にキャリアガスを供給するための流路である。
【００３８】
スプリット流路６は、スプリット導入法によりカラム１内にキャリアガス及び試料ガスを導入する際に、試料気化室内のガス（キャリアガス及び試料ガスの混合ガス）の一部を所定のスプリット比で外部に排出するための流路である。
【００３９】
検出器４は、例えば、水素炎イオン化検出器（ＦＩＤ）や、炎光光度検出器（ＦＰＤ）により構成される。検出器４は、カラム１から導入されるキャリアガスに含まれる各試料成分を順次検出する。
【００４０】
このガスクロマトグラフにおいて試料を測定する際は、分析対象となる試料が試料導入部３に注入される。試料は、試料気化室において気化される。また、試料導入部３の試料気化室には、ガス供給流路５を介してキャリアガスが供給される。
【００４１】
試料気化室内で気化された試料は、キャリアガスとともにカラム１内に導入される。試料に含まれる各試料成分は、カラム１内を通過する過程で分離されて、検出器４に順次導入される。
【００４２】
そして、検出器４において、カラム１から導入されるキャリアガスに含まれる各試料成分が順次検出される。また、検出器４における検出結果に基づいて、クロマトグラムが生成される。生成されたクロマトグラムは、本体１０に設けられた表示器１１（後述する）に表示される。そして、作業者は、表示されたクロマトグラムを確認して、各種分析を行う。
【００４３】
２．制御部及び周辺の部材の具体的構成
図２は、図１のガスクロマトグラフの制御部１３、及び、その周辺の部材の具体的構成を示したブロック図である。
【００４４】
ガスクロマトグラフは、上記した検出器４に加えて、表示器１１と、記憶部１２と、制御部１３とを備えている。ガスクロマトグラフでは、表示器１１、記憶部１２及び制御部１３が入力装置２０を構成している。そして、入力装置２０は、本体１０（図１参照）に設けられている。
【００４５】
表示器１１は、静電容量式のタッチパネルを含んでいる。すなわち、このガスクロマトグラフを用いた分析では、作業者は、表示器１１において情報の確認及び入力操作を行う。
【００４６】
記憶部１２は、例えば、ＲＯＭ（Read Only Memory）及びＲＡＭ（Random Access Memory）などにより構成されている。記憶部１２は、複数のクロマトグラム情報１２１及びピーク情報１２２を記憶している。
各クロマトグラム情報１２１は、後述するデータ処理部１３１によって、検出器４からの検出信号に基づいて生成されるクロマトグラムの情報である。
各ピーク情報１２２は、各クロマトグラム情報１２１におけるピークに関する情報である。
【００４７】
制御部１３は、例えば、ＣＰＵ（Central Processing Unit）を含む構成である。制御部１３は、検出器４及び表示器１１との間で、電気信号の入力又は出力が可能である。制御部１３は、必要に応じて記憶部１２に対するデータの入出力を行う。制御部１３は、ＣＰＵがプログラムを実行することにより、データ処理部１３１、表示処理部１３２、選択処理部１３３、ベースライン作成処理部１３４、ピーク処理部１３５及び演算処理部１３６などとして機能する。
【００４８】
データ処理部１３１は、検出器４からの検出信号に基づいて、クロマトグラムを得るとともに、当該クロマトグラムに含まれるピークに関する情報を検出する。データ処理部１３１で生成されたクロマトグラムの情報は、クロマトグラム情報１２１として記憶部１２に格納される。また、データ処理部１３１で検出されたピークに関する情報は、ピーク情報１２２として記憶部１２に格納される。このとき、各クロマトグラム情報１２１と各ピーク情報１２２とは、互いに対応付けられて記憶部１２に格納される。
【００４９】
表示処理部１３２は、記憶部１２のクロマトグラム情報１２１に基づいて、表示器１１にクロマトグラムを表示させる処理を行う。また、表示処理部１３２は、後述する選択処理部１３３、ベースライン作成処理部１３４、ピーク処理部１３５及び演算処理部１３６による処理結果に基づいて、表示器１１にピークに関する情報を表示させる処理を行う。
【００５０】
選択処理部１３３は、タッチパネルの操作による表示器１１からの入力信号に基づいて、記憶部１２のピーク情報１２２から所定の情報を選択して読み出す処理を行う。
【００５１】
ベースライン作成処理部１３４は、タッチパネルの操作による表示器１１からの入力信号に基づいて、表示器１１においてクロマトグラムとともに表示させるベースラインを作成する処理を行う。
【００５２】
ピーク処理部１３５は、タッチパネルの操作による表示器１１からの入力信号に基づいて、クロマトグラムにおけるピークに対する各種処理を行う。具体的には、ピーク処理部１３５には、ピーク分割処理部１４１と、ピーク結合処理部１４２と、ピーク情報書換処理部１４３と、ピーク情報削除処理部１４４とが含まれており、これらが各種処理を行う。
ピーク分割処理部１４１は、タッチパネルの操作による表示器１１からの入力信号に基づいて、表示器１１に表示されるクロマトグラムのピークを分割する。
【００５３】
ピーク結合処理部１４２は、タッチパネルの操作による表示器１１からの入力信号に基づいて、表示器１１に分割されて表示されているクロマトグラムのピークを結合する。
【００５４】
ピーク情報書換処理部１４３は、タッチパネルの操作による表示器１１からの入力信号に基づいて、記憶部１２に記憶されているピーク情報１２２を書き換える。
ピーク情報削除処理部１４４は、タッチパネルの操作による表示器１１からの入力信号に基づいて、記憶部１２に記憶されているピーク情報１２２を削除する。
【００５５】
演算処理部１３６は、選択処理部１３３、ベースライン作成処理部１３４、ピーク分割処理部１４１、ピーク結合処理部１４２、ピーク情報書換処理部１４３及びピーク情報削除処理部１４４の処理結果に基づいて、クロマトグラムにおけるピークの高さ及び面積を算出する。
【００５６】
３．表示画面の画面構成
図３は、表示画面１１１の表示態様の一例を示した概略図である。
上記した表示器１１には、タッチパネル式の表示画面１１１が含まれている。表示器１１は、本体１０（図１参照）に備えられており、作業者は、本体１０上で表示画面１１１を確認できる。具体的には、表示器１１は、作業者が操作しやすいように、本体１０の前面に設けられている。また、本体１０の前面には、通常、開閉可能な扉などが設けられている。すなわち、表示器１１は、本体１０の前面において、扉などが配置されるスペースを確保するように、比較的小さなスペースに配置されている。
【００５７】
表示画面１１１は、略矩形状に形成されている。表示画面１１１には、動作表示領域１１２と、クロマトグラム領域１１３とが含まれている。
動作表示領域１１２は、表示画面１１１内における上方側に配置されている。動作表示領域１１２は、ガスクロマトグラフにおける各種部品の動作状態を表示するための領域である。例えば、動作表示領域１１２には、カラム１の温度、試料導入部３内の温度及び圧力、試料導入部３内に供給されるキャリアガスの流量、検出器４の温度などの動作状態が表示される。
【００５８】
クロマトグラム領域１１３は、表示画面１１１内における下方側に配置されている。クロマトグラム領域１１３は、データ処理部１３１によって生成されたクロマトグラムを表示するための領域である。なお、クロマトグラム領域１１３では、クロマトグラムは、横軸を時間、縦軸を信号強度とする二軸表示により表示される。
【００５９】
ガスクロマトグラフにおける分析中は、表示器１１の表示画面１１１では、クロマトグラムがリアルタイムで表示される。すなわち、分析中は、データ処理部１３１によって、検出器４からの検出信号に基づいてクロマトグラムが生成されると、表示処理部１３２によって、そのクロマトグラムが表示画面１１１のクロマトグラム領域１１３にリアルタイムで表示される。
【００６０】
４．ピーク情報の検出
上記したように、データ処理部１３１によってクロマトグラムが生成されると、その情報は、クロマトグラム情報１２１（図２参照）として記憶部１２に格納される。このとき、データ処理部１３１は、クロマトグラムにおけるピークに関する情報を検出し、その情報をピーク情報１２２として記憶部１２に格納する。
【００６１】
図４は、クロマトグラム領域１１３の表示態様の一例であって、クロマトグラム及びピーク情報を示した概略図である。図４では、記憶部１２に記憶されている所定のクロマトグラム情報１２１に対応するクロマトグラムの一部が表示されている。
【００６２】
具体的には、ピーク情報１２２として記憶部１２で記憶される情報は、クロマトグラム情報１２１におけるピークの開始点、ピークの終了点、ピークの頂点、並びに、連続するピークの境界点及び境界線の情報である。これらのピーク情報のうち、ピークの開始点、ピークの終了点、ピークの頂点、及び、連続するピークの境界点は、信号強度が急激に変化する点（特異点）である。データ処理部１３１は、クロマトグラムにおける信号強度の変化に基づいて、ピーク情報１２２を検出する。
【００６３】
図４に示すクロマトグラムに関しては、ピークの開始点Ａ、ピークの終了点Ｂ、ピークの頂点Ｃ，Ｄ、並びに、連続するピークの境界点Ｅ及び境界線Ｆの情報が、ピーク情報１２２として記憶部１２に記憶されている。そして、これらのピーク情報１２２は、後述するように、作業者による表示器１１に対するタッチ操作の位置に応じて選択される。境界線Ｆは、境界点Ｅを通る縦軸に平行な直線である。ただし、境界点Ｅ及び境界線Ｆは、ピークの形状によっては、ピーク情報１２２に含まれない場合がある。
【００６４】
５．制御部による制御動作、及び、表示画面の表示態様
ガスクロマトグラフでは、作業者によって、表示器１１において所定のタッチ操作が行われると、記憶部１２に記憶されているクロマトグラム情報１２１が読み出され、その情報に対応するクロマトグラムがクロマトグラム領域１１３に表示される。この状態において、作業者は、表示器１１に対して種々のタッチ操作を行うことにより、クロマトグラムの高さや面積の確認、又は、ピーク情報１２２の変更を行うことができる。
【００６５】
以下では、このようなクロマトグラムの高さや面積の確認、又は、ピーク情報１２２の変更を行う際の、作業者のタッチ操作、制御部１３の制御動作、及び、表示画面１１１（クロマトグラム領域１１３）の表示態様について説明する。
【００６６】
（１）ピークの選択
図５は、クロマトグラム領域１１３の表示態様の一例であって、ピークが選択された結果、クロマトグラムにおけるピークの高さ及び面積が算出される状態を示した概略図である。
【００６７】
クロマトグラム領域１１３にクロマトグラムが表示された状態で、作業者によって、所定のタッチ操作が行われると、選択処理部１３３は、クロマトグラムにおけるピークを選択する。
【００６８】
例えば、図４に示すように、クロマトグラム領域１１３にクロマトグラムが表示された状態から、図５に示すように、作業者によって、領域Ｇがタッチ（タップ）されると、選択処理部１３３は、クロマトグラムにおけるピークＨを選択する。図５では、領域Ｇは、クロマトグラムにおけるピークＨの開始点から頂点（トップ）までの間に位置している。すなわち、各特異点から一定距離以上離れた領域であって、クロマトグラム上又はクロマトグラム上から若干ずれた部分がタッチされた場合に、その領域に対応するピークＨが選択される。
【００６９】
そして、演算処理部１３６は、ピークＨの高さＩ及び面積Ｊを算出する。具体的には、ベースラインを基準とする縦軸の最大値が、ピークＨの高さＩとして算出され、ベースラインとピークＨで囲まれた領域の面積が、ピークＨの面積Ｊとして算出される。表示処理部１３２は、算出されたピークＨの高さＩ及び面積Ｊの数値を、クロマトグラム領域１１３に表示してもよい（図示せず）。
【００７０】
（２）ピーク情報の選択
図６Ａは、クロマトグラム領域１１３の表示態様の一例であって、クロマトグラムにおけるピークの開始点及び終了点が選択された状態を示した概略図である。図６Ｂは、クロマトグラム領域１１３の表示態様の一例であって、ベースラインＰが作成された状態を示した概略図である。図６Ｃは、クロマトグラム領域１１３の表示態様の一例であって、ベースラインＰに基づいて、クロマトグラムにおけるピークの高さ及び面積が算出される状態を示した概略図である。
【００７１】
クロマトグラム領域１１３にクロマトグラムが表示された状態で、作業者によって、所定のタッチ操作が行われると、選択処理部１３３は、記憶部１２に記憶されているピーク情報１２２から、タッチ操作の位置に応じた情報を選択する。
【００７２】
例えば、図４に示すように、クロマトグラム領域１１３にクロマトグラムが表示される状態から、図６Ａに示すように、作業者によって、領域Ｋがタッチ（タップ）されると、選択処理部１３３は、記憶部１２のピーク情報１２２のうち、クロマトグラムにおけるピークの開始点Ａ（図４参照）を選択する。そして、表示処理部１３２は、開始点Ａの位置を円などで示す図形Ｌをクロマトグラム領域１１３に表示させる。なお、領域Ｋは、クロマトグラムにおけるピークの開始点Ａ上、又は、開始点Ａから一定距離未満の領域である。
【００７３】
また、作業者によって、領域Ｍがタッチ（タップ）されると、選択処理部１３３は、記憶部１２のピーク情報１２２のうち、クロマトグラムにおけるピークの終了点Ｂ（図４参照）を選択する。そして、表示処理部１３２は、終了点Ｂの位置を円などで示す図形Ｎをクロマトグラム領域１１３に表示させる。なお、領域Ｍは、クロマトグラムにおけるピークの終了点Ｂ上、又は、終了点Ｂから一定距離未満の領域である。
【００７４】
なお、作業者によって、クロマトグラム領域１１３の所定領域を拡大する操作（ピンチアウト）が行われた場合には、表示処理部１３２は、当該領域を拡大表示させてもよい。この状態から作業者によってタッチ操作が行われた場合には、選択処理部１３３は、拡大表示された領域に対するタッチ操作の位置に応じて、ピーク情報１２２から適切な情報（特異点）を選択してもよい。
【００７５】
このとき、表示処理部１３２は、選択処理部１３３によって選択された開始点Ａ及び終了点Ｂのそれぞれの時間の情報（値）を、クロマトグラム領域１１３に表示させてもよい（図示せず）。
【００７６】
このように、選択処理部１３３は、記憶部１２のピーク情報１２２のうち、作業者がタッチした位置から最も近い情報（特異点）を選択する。すなわち、作業者が、開始点Ａを選択しようとして、開始点Ａから若干ずれた部分である領域Ｋをタッチ操作した場合でも、選択処理部１３３によって、領域Ｋから最も近い特異点である開始点Ａが選択される。また、作業者が、終了点Ｂを選択しようとして、終了点Ｂから若干ずれた部分である領域Ｍをタッチ操作した場合でも、選択処理部１３３によって、領域Ｍから最も近い特異点である終了点Ｂが選択される。このような特異点の選択は、開始点Ａ及び終了点Ｂだけでなく、ピークの頂点や連続するピークの境界点などの他の特異点についても同様に行われる。
【００７７】
（３）ベースラインの作成
ベースラインを作成するためのモードにおいて、上記のような開始点Ａ及び終了点Ｂを選択するタッチ操作が行われた場合には、ベースライン作成処理部１３４は、図６Ｂに示すように、選択された開始点Ａ及び終了点Ｂを結ぶベースラインＰを作成する。このとき、表示処理部１３２は、作成されたベースラインＰをクロマトグラム領域１１３に表示させる。
【００７８】
また、演算処理部１３６は、図６Ｃに示すように、ベースラインＰに基づいて、ピークの高さ及び面積を算出する。具体的には、演算処理部１３６は、ベースラインＰの上方に位置するピークＱの高さＲ及び面積Ｓを算出する。表示処理部１３２は、算出されたピークＱの高さＲ及び面積Ｓの数値を、クロマトグラム領域１１３に表示してもよい（図示せず）。
なお、ピークの開始点及び終了点の選択、並びに、ベースラインＰの作成は、上記したタッチ操作と異なるタッチ操作に基づいて行われてもよい。
【００７９】
例えば、作業者によって、領域Ｋ（図６Ａ参照）がタッチ（タップ）され、さらに、その状態から、領域Ｍまで右方に向かってスライド操作（ドラッグ）されることに応じて、選択処理部１３３によって、ピークの開始点Ａ及び終了点Ｂが選択され、ベースライン作成処理部１３４によって、開始点Ａ及び終了点Ｂを結ぶベースラインＰ（図６Ｂ参照）が作成されてもよい。
【００８０】
また、図示しないが、作業者によって、開始点Ａ（図４参照）の近くの部分がタップされ、その後、ピークの境界点Ｅの近くの部分がタップされた場合には、ベースライン作成処理部１３４は、開始点Ａと境界点Ｅとを結ぶベースラインを作成してもよい。
【００８１】
（４）ピークの分割及び結合
図６Ｄは、クロマトグラム領域１１３の表示態様の一例であって、ピークが分割された状態を示した概略図である。図６Ｅは、クロマトグラム領域１１３の表示態様の一例であって、分割された状態のピークの高さ及び面積が算出される状態を示した概略図である。
【００８２】
図６Ｂに示す状態から、図６Ｄに示すように、作業者によって、連続するピークの境界点Ｅを中心とする領域Ｔが長押し（ロングタッチ）され、その状態からさらに、下方に向かってスライド操作（ドラッグ）されると、選択処理部１３３は、記憶部１２のピーク情報１２２のうち、連続するピークの境界線Ｆを選択する。そして、ピーク分割処理部１４１は、クロマトグラムにおいて連続するピークを、境界線Ｆを基準に分割する。また、表示処理部１３２は、境界線Ｆをクロマトグラム領域１１３に表示させる。
【００８３】
このとき、作業者によって、領域Ｔから一定距離未満で若干ずれた部分が長押しされ、その後、下方に向かってスライド操作された場合であっても、ピーク分割処理部１４１は、クロマトグラムを分割する。
【００８４】
そして、演算処理部１３６は、図６Ｅに示すように、境界線Ｆによって分割されるピークの高さ及び面積を算出する。具体的には、演算処理部１３６は、ベースラインＰの上方に位置するピークＵの高さＶ及び面積Ｗを算出するとともに、ベースラインＰの上方に位置し、ピークＵに隣り合うピークＸの高さＹ及び面積Ｚを算出する。表示処理部１３２は、算出されたピークＵの高さＶ及び面積Ｗ、並びに、算出されたピークＸの高さＹ及び面積Ｚの数値をクロマトグラム領域１１３に表示してもよい（図示せず）。
【００８５】
また、この状態から、図６Ｄに示すように、作業者によって、境界線Ｆを中心とする領域Ｏが長押し（ロングタッチ）され、その状態からさらに、下方に向かってスライド操作（ドラッグ）されると、ピーク結合処理部１４２は、分割されたピークを結合する。そして、表示処理部１３２は、図６Ｂに示すように、境界線Ｆをクロマトグラム領域１１３から消去する。
【００８６】
このとき、作業者によって、領域Ｏから一定距離未満で若干ずれた位置が長押しされ、その後、下方に向かってスライド操作された場合であっても、ピーク結合処理部１４２は、クロマトグラムを結合する。そして、上記と同様にして、演算処理部１３６によって、結合された後のピークの高さ及び面積が算出される。
なお、ピークの分割及び結合は、上記したタッチ操作と異なるタッチ操作に基づいて行われてもよい。
【００８７】
例えば、作業者によって、図６Ｄに示す領域Ｔがタッチ（タップ）されることに応じて、選択処理部１３３によって、ピークの境界点Ｅが選択され、さらに、領域Ｔの下方に位置するベースラインＰの部分がタップされることに応じて、ピーク分割処理部１４１によって、ピークが分割されてもよい。
【００８８】
また、クロマトグラムが境界線Ｆによって分割された状態から、作業者によって、図６Ｄに示す領域Ｏがタッチ（タップ）され、さらに、領域Ｏの下方に位置するベースラインＰの部分がタップされることに応じて、ピーク結合処理部１４２によってクロマトグラムが結合されてもよい。
【００８９】
また、ピーク結合処理部１４２は、ピーク分割処理部１４１によって分割されたピークだけでなく、最初から分割されているピークに対して結合を行ってもよい。
【００９０】
（５）ピーク情報の書き換え
図７Ａは、クロマトグラム領域１１３の表示態様の一例であって、クロマトグラムにおけるピーク情報が書き換えられる状態を示した概略図である。図７Ｂは、クロマトグラム領域１１３の表示態様の一例であって、書き換えられたピーク情報に基づいて、クロマトグラムにおけるピークの高さ及び面積が算出される状態を示した概略図である。
【００９１】
図６Ａに示す状態から、図７Ａに示すように、作業者によって、ピークの開始点Ａを中心とする領域ＡＡが長押し（ロングタッチ）され、その状態からさらに、クロマトグラムに沿ってスライド操作（ドラッグ）されると、表示処理部１３２は、作業者のスライド操作にともなって、図形Ｌ（図６Ａ参照）を移動させる。
【００９２】
そして、作業者の指がクロマトグラム領域１１３から離れると、ピーク情報書換処理部１４３は、移動した後の図形Ｌで示される点を新たな開始点ＡＢとし、記憶部１２のピーク情報１２２において、開始点Ａの情報を開始点ＡＢの情報に書き換える。
【００９３】
また、作業者によって、ピークの終了点Ｂを中心とする領域ＡＣが長押し（ロングタッチ）され、その状態からさらに、クロマトグラムに沿ってスライド操作（ドラッグ）されると、表示処理部１３２は、作業者のスライド操作にともなって、図形Ｎ（図６Ａ参照）を移動させる。
【００９４】
そして、作業者の指がクロマトグラム領域１１３から離れると、ピーク情報書換処理部１４３は、移動した後の図形Ｎで示される点を新たな終了点ＡＤとし、記憶部１２のピーク情報１２２において、終了点Ｂの情報を終了点ＡＤの情報に書き換える。
【００９５】
その後は、作業者によって、クロマトグラム領域１１３のクロマトグラムに対してタッチ操作が行われると、選択処理部１３３は、記憶部１２の新たなピーク情報１２２から情報を選択する。
【００９６】
すなわち、図７Ｂに示すように、作業者によって、開始点ＡＢから若干ずれた部分である領域ＡＥがタップされても、選択処理部１３３は、記憶部１２のピーク情報１２２のうち、書き換えられた新たな開始点ＡＢを選択する。また、作業者によって、終了点ＡＤから若干ずれた部分である領域ＡＦがタップされても、選択処理部１３３は、記憶部１２のピーク情報１２２のうち、書き換えられた新たな終了点ＡＤを選択する。ベースラインを作成するためのモードにおいて、このような開始点ＡＢ及び終了点ＡＤを選択するタッチ操作が行われた場合には、ベースライン作成処理部１３４は、選択された開始点ＡＢ及び終了点ＡＤを結ぶベースラインＡＧを作成する。このとき、表示処理部１３２は、作成されたベースラインＡＧをクロマトグラム領域１１３に表示させる。
【００９７】
また、演算処理部１３６は、ベースラインＡＧの上方に位置するピークＡＨの高さＡＩ及び面積ＡＪを算出する。表示処理部１３２は、算出されたピークＡＨの高さＡＩ及び面積ＡＪの数値を、クロマトグラム領域１１３に表示してもよい（図示せず）。
【００９８】
また、図示しないが、作業者によって、ピークの頂点、ピークの境界点、又は、ピークの境界線に対して長押し（ロングタッチ）され、その状態からさらに、スライド操作（ドラッグ）されると、ピーク情報書換処理部１４３は、上記と同様にして、記憶部１２のピーク情報１２２において、これらの情報を書き換える。
【００９９】
（６）ピーク情報の削除
図８は、クロマトグラム領域１１３の表示態様の一例であって、クロマトグラムにおけるピーク情報が削除される状態を示した概略図である。
【０１００】
図５に示すように、ピークが選択された後、作業者によって、ピークの線状の部分（特異点以外の部分）が一定時間以上長押し（ロングタッチ）されると、ピーク情報削除処理部１４４は、そのピークのピーク情報１２２を、記憶部１２から削除する。例えば、図８に示すように、ピークの開始点からピークの頂点（トップ）までの間に位置する領域ＡＫが一定時間以上長押し（ロングタッチ）されると、ピーク情報削除処理部１４４は、記憶部１２に記憶されている当該ピークのピーク情報１２２を削除する。
【０１０１】
具体的には、作業者によって、領域ＡＫが一定時間以上長押し（ロングタッチ）されると、表示処理部１３２は、ピーク情報１２２を記憶部１２から削除するか否かを確認するための画面（ポップアップ画面）を、クロマトグラム領域１１３に表示させる（図示せず）。そして、当該画面上において、作業者によってピーク情報１２２を削除するための所定のタッチ操作が行われると、ピーク情報削除処理部１４４は、記憶部１２に記憶されているピーク情報１２２を削除する。
【０１０２】
６．作用効果
（１）本実施形態では、図２に示すように、記憶部１２は、クロマトグラムにおけるピークの開始点、ピークの終了点、ピークの頂点、並びに、連続するピークの境界点及び境界線の情報をピーク情報１２２として記憶している。選択処理部１３３は、表示画面１１１に表示されているクロマトグラムに対するタッチ操作の位置に応じて、ピーク情報１２２、又は、クロマトグラムに含まれるいずれかのピークを選択する。
【０１０３】
すなわち、クロマトグラムが表示されたタッチパネル式の表示画面１１１に対して、作業者がタッチ操作を行うと、そのタッチ操作の位置に応じて、ピーク情報１２２又はピーク自体が自動的に選択される。選択されるピーク情報１２２は、クロマトグラムにおけるピークの開始点、ピークの終了点、ピークの頂点、あるいは、連続するピークの境界点又は境界線である。
【０１０４】
例えば、図６Ａに示すように、作業者によって、タッチパネル式の表示画面１１１に対してタッチ操作が行われ、クロマトグラムにおけるピークの開始点Ａから若干ずれた点を中心とする領域Ｋがタッチされた場合であっても、選択処理部１３３によって、ピークの開始点Ａを選択できる。同様に、作業者によって、その他のピーク情報、又は、ピーク自体を選択するためのタッチ操作が行われた場合であって、タッチ部分の中心が本来の位置から若干ずれているような場合であっても、選択処理部１３３によって、これらの情報を選択できる。
【０１０５】
すなわち、作業者によって、クロマトグラムが表示されたタッチパネル式の表示画面１１１に対してタッチ操作が行われた場合に、作業者が所望する情報以外の情報が認識されることを防止できる。
その結果、タッチパネル上のタッチ操作に基づく適切な入力信号を送信できる。
ただし、記憶部１２は、クロマトグラムにおけるピークの開始点、ピークの終了点、ピークの頂点、並びに、連続するピークの境界点及び境界線の情報を全て記憶するような構成に限らず、これらのピーク情報１２２の少なくとも１つを記憶していればよい。
【０１０６】
（２）また、本実施形態では、演算処理部１３６は、選択処理部１３３によりクロマトグラムに含まれるいずれかのピークが選択された場合に、図５に示すように、当該ピークの高さ及び面積を算出する。
【０１０７】
すなわち、選択処理部１３３によって、ピークが適切に選択され、演算処理部１３６によって、そのピークの高さ及び面積が算出される。
そのため、作業者による操作がタッチパネルに対するタッチ操作であっても、ピークの高さ及び面積を適切に算出できる。
ただし、ピークの高さ及び面積の両方を算出するような構成に限らず、いずれか一方のみを算出するような構成であってもよい。
【０１０８】
（３）また、本実施形態では、ベースライン作成処理部１３４は、選択処理部１３３により、ピーク情報１２２のうち、ピークの開始点、ピークの終了点、又は、連続するピークの境界点の情報が選択された後、表示画面１１１に表示されているクロマトグラムに対するタッチ操作に基づいて、図６Ｂに示すように、ベースラインのデータを作成する。
【０１０９】
すなわち、選択処理部１３３によって、ピークの開始点、ピークの終了点、又は、連続するピークの境界点が適切に選択され、その後のタッチ操作に基づいて、ベースラインのデータが作成される。
そのため、作業者による操作がタッチパネルに対するタッチ操作であっても、ベースライン作成処理部１３４によって、適切なベースラインを作成できる。
【０１１０】
（４）また、本実施形態では、演算処理部１３６は、ベースライン作成処理部１３４により作成されたベースラインのデータに基づいて、図６Ｃに示すように、ピークの高さ及び面積を算出する。
【０１１１】
すなわち、ベースライン作成処理部１３４によって、適切なベースラインが作成され、演算処理部１３６によって、そのベースラインのデータに基づいて、ピークの高さ及び面積が算出される。
そのため、作業者による操作がタッチパネルに対するタッチ操作であっても、ピークの高さ及び面積を適切に算出できる。
ただし、ピークの高さ及び面積の両方を算出するような構成に限らず、いずれか一方のみを算出するような構成であってもよい。
【０１１２】
（５）また、本実施形態では、ピーク分割処理部１４１は、選択処理部１３３により、ピーク情報１２２のうち、連続するピークの境界点の情報が選択された後、表示画面１１１に表示されているクロマトグラムに対するタッチ操作に基づいて、図６Ｄに示すように、当該境界点を基準に連続するピークを分割する。
【０１１３】
すなわち、選択処理部１３３によって、連続するピークの境界点が適切に選択され、その後のタッチ操作に基づいて、境界点を基準に連続するピークが分割される。
そのため、作業者による操作がタッチパネルに対するタッチ操作であっても、ピーク分割処理部１４１によって、ピークを適切に分割できる。
ただし、連続するピークの境界点ではなく、境界線の情報が選択された後のタッチ操作に基づいて、連続するピークが分割されてもよい。
【０１１４】
（６）また、本実施形態では、演算処理部１３６は、図６Ｅに示すように、ピーク分割処理部１４１により分割されたピークの高さ及び面積を算出する。
【０１１５】
すなわち、ピーク分割処理部１４１によって、ピークが適切に分割され、演算処理部１３６によって、その分割されたピークの高さ及び面積が算出される。
そのため、作業者による操作がタッチパネルに対するタッチ操作であっても、ピークの高さ及び面積を適切に算出できる。
ただし、ピークの高さ及び面積の両方を算出するような構成に限らず、いずれか一方のみを算出するような構成であってもよい。
【０１１６】
（７）また、本実施形態では、ピーク結合処理部１４２は、選択処理部１３３により連続するピークの境界線のピーク情報が選択された後、表示画面１１１に表示されているクロマトグラムに対するタッチ操作に基づいて、当該境界線を基準に分割されている連続するピークを結合する。
【０１１７】
すなわち、選択処理部１３３によって、連続するピークの境界線が適切に選択され、その後のタッチ操作に基づいて、境界線を基準に分割されている連続するピークが結合される。
そのため、作業者による操作がタッチパネルに対するタッチ操作であっても、ピーク結合処理部によって、ピークを適切に結合できる。
ただし、連続するピークの境界線ではなく、境界点の情報が選択された後のタッチ操作に基づいて、連続するピークが結合されてもよい。
【０１１８】
（８）また、本実施形態では、演算処理部１３６は、ピーク結合処理部１４２により結合されたピークの高さ及び面積を算出する。
【０１１９】
すなわち、ピーク結合処理部１４２によって、ピークが適切に結合され、演算処理部１３６によって、その結合されたピークの高さ及び面積が算出される。
そのため、作業者による操作がタッチパネルに対するタッチ操作であっても、ピークの高さ及び面積を適切に算出できる。
ただし、ピークの高さ及び面積の両方を算出するような構成に限らず、いずれか一方のみを算出するような構成であってもよい。
【０１２０】
（９）また、本実施形態では、ピーク情報書換処理部１４３は、選択処理部１３３により、ピーク情報１２２のうち、ピークの開始点、ピークの終了点、ピークの頂点、あるいは、連続するピークの境界点又は境界線の情報が選択された後、図７Ａに示すように、表示画面１１１に表示されているクロマトグラムに対するタッチ操作に基づいて、記憶部１２に記憶されているピーク情報１２２を書き換える。
【０１２１】
そのため、タッチパネルに対するタッチ操作により、記憶部１２に記憶されているピーク情報１２２を所望の情報に容易に書き換えることができる。
【０１２２】
（１０）また、本実施形態では、演算処理部１３６は、ピーク情報書換処理部１４３により書き換えられたピーク情報に基づいて、図７Ｂに示すように、ピークの高さ及び面積を算出する。
【０１２３】
すなわち、ピーク情報書換処理部１４３によって、ピーク情報１２２が所望の情報に書き換えられ、演算処理部１３６によって、その書き換えられた所望のピーク情報１２２に基づくピークの高さ及び面積が算出される。
そのため、作業者による操作がタッチパネルに対するタッチ操作であっても、ピークの高さ及び面積を適切に算出できる。
ただし、ピークの高さ及び面積の両方を算出するような構成に限らず、いずれか一方のみを算出するような構成であってもよい。
【０１２４】
（１１）また、本実施形態では、ピーク情報削除処理部１４４は、選択処理部１３３によりクロマトグラムに含まれるいずれかのピークが選択された後、表示画面１１１に表示されているクロマトグラムに対するタッチ操作に基づいて、記憶部１２に記憶されている当該ピークのピーク情報１２２を削除する。
【０１２５】
すなわち、選択処理部１３３によって、クロマトグラムに含まれるいずれかのピークが適切に選択され、その後のタッチ操作に基づいて、当該ピークのピーク情報１２２が削除される。
そのため、作業者による操作がタッチパネルに対するタッチ操作であっても、ピーク情報削除処理部１４４によって、ピーク情報を適切に削除できる。
【０１２６】
（１２）また、本実施形態では、入力装置２０は、本体１０に設けられている。作業者は、本体１０に設けられたタッチパネル式の表示画面１１１に対してタッチ操作を行う。そして、選択処理部１３３は、記憶部１２のピーク情報１２２、又は、クロマトグラムのピーク自体を自動的に選択する。
【０１２７】
そのため、記憶部１２のピーク情報１２２、又は、クロマトグラムのピーク自体の選択を、本体１０に対する操作のみで行うことができる。
【０１２８】
７．変形例
以上の説明では、本発明のクロマトグラフは、ガスクロマトグラフであるとして説明したが、本発明のクロマトグラフは、液体クロマトグラフなどのガスクロマトグラフ以外のクロマトグラフに適用可能である。
【０１２９】
また、以上の説明では、選択処理部１３３によるピーク情報１２２又はピーク自体の選択は、クロマトグラム領域１１３内のクロマトグラムに対する特定のタッチ操作に基づいて行われるとして説明したが、上記した特定のタッチ操作以外のタッチ操作に基づいて、ピーク情報１２２が選択されてもよい。また、選択処理部１３３によりピーク情報１２２又はピーク自体が選択された後のタッチ操作も、上記した特定のタッチ操作に限られるものではない。
【０１３０】
また、以上の説明では、入力装置２０は、本体１０に設けられるとして説明したが、入力装置２０は、タッチパネル式の表示画面を有する装置であればよく、スマートデバイスやパソコン用ディスプレイなど、本体１０とは別に構成される装置であってもよい。この場合、クロマトグラム情報１２１及びピーク情報１２２は、検出器４からの入力信号から直接得られるような構成に限らず、記憶媒体、あるいは、有線又は無線の通信などにより、入力装置の記憶部１２に記憶されてもよい。
【符号の説明】
【０１３１】
１０    本体
１１    表示器
１２    記憶部
１３    制御部
２０    入力装置
１１１    表示画面
１２２    ピーク情報
１３２    表示処理部
１３３    選択処理部
１３４    ベースライン作成処理部
１３５    ピーク処理部
１３６    演算処理部
１４１    ピーク分割処理部
１４２    ピーク結合処理部
１４３    ピーク情報書換処理部
１４４    ピーク情報削除処理部
【図１】
0006658890.tif 000002
【図２】
0006658890.tif 000003
【図３】
0006658890.tif 000004
【図４】
0006658890.tif 000005
【図５】
0006658890.tif 000006
【図６Ａ】
0006658890.tif 000007
【図６Ｂ】
0006658890.tif 000008
【図６Ｃ】
0006658890.tif 000009
【図６Ｄ】
0006658890.tif 000010
【図６Ｅ】
0006658890.tif 000011
【図７Ａ】
0006658890.tif 000012
【図７Ｂ】
0006658890.tif 000013
【図８】
0006658890.tif 000014